(57)【要約】【課題】装飾部材を十分に発光させることができる遊技機を提供する。【解決手段】遊技機は、ＬＥＤ８５と装飾部材２０１Ｌを備える。装飾部材２０１Ｌは、集光部２１１とこの集光部２１１とネジで係止される外装部２１３を備える。集光部２１１は、ＬＥＤ８５から発せられた光が入射する光入射部２２４と、光入射部２２４から入射した光を出射する光出射面２２６と、光出射面２２６から出射された光を遊技機の前方側に向けて反射可能な突出片２２２とを有する。外装部２１３は、ネジを挿入可能なねじ貫通孔２６１ａを有し、集光部は、光出射面２２６及び突出片２２２よりも後方にネジを挿入可能なねじ止め部２２９を有する。【選択図】図１４
2019122805.tif 000002
【特許請求の範囲】
【請求項１】
光源と装飾部材を備える遊技機であって、
前記装飾部材は、集光部と前記集光部とネジで係止される外装部を備え、
前記集光部は、前記光源から発せられた光が入射する光入射部と、前記光入射部から入射した光を出射する光射出部と、前記光射出部から出射された光を遊技機の前方側に向けて反射可能な反射部とを有し、
前記外装部は、前記ネジを挿入可能なねじ穴を有し、
前記集光部は、前記光射出部及び前記反射部よりも後方に前記ネジを挿入可能なネジ穴を有する
ことを特徴とする遊技機。
【請求項２】
前記反射部は、前記集光部の前記光射出部のある面から突出している
ことを特徴とする請求項１に記載の遊技機。
【請求項３】
前記装飾部材は、所定の壁面の前方に設けられ、
前記外装部のネジ穴は、前記所定の壁面と対向する外装部後面に設けられ、
前記外装部後面は、前記所定の壁面と近接している
ことを特徴とする請求項１または請求項２に記載の遊技機。
【発明の詳細な説明】
【技術分野】
【０００１】
本発明は、遊技機に関する。
【背景技術】
【０００２】
一般的な遊技機は、キャビネットと、このキャビネットに対して開閉可能に取り付けられるフロントドアとを備えている。そして、フロントドアには、遊技機の機種に応じた装飾部材が設けられている。装飾部材としては、例えば、機械的な動作を行うもの、発光するもの、又はそれら両方を行うものがある。発光する装飾部材は、一般的に、係止爪を有しており、フロントドアに係止されている。
【０００３】
フロントドアに装飾部材が係止された遊技機に対しては、いわゆるゴト師と呼ばれる者が、針金等を用いて装飾部材の係止爪を変形させて、装飾部材をフロントドアから取り外し、種々の不正行為を行うという問題があった。
【０００４】
このような装飾部材を取り外して行う不正行為を防止する遊技機としては、例えば、特許文献１に記載されている。特許文献１に記載された遊技機は、装飾部材の弾性変形する係止爪をフロントドアに挿入して係止させている。そして、装飾部材を取付後に、フロントドアの裏側からスペーサを圧入して、係止爪を弾性変形できないようにしている。これにより、装飾部材の係止爪がフロントドアから外れ難くなり、針金等による装飾部材の取り外しが防止される。
【先行技術文献】
【特許文献】
【０００５】
【特許文献１】特開２０１０−７５４４０号公報
【発明の概要】
【発明が解決しようとする課題】
【０００６】
ところで、従来の遊技機では、装飾部材を発光させる場合に、発光が弱くなってしまうことがある。
【０００７】
本発明の目的は、装飾部材を十分に発光させることができる遊技機を提供することにある。
【課題を解決するための手段】
【０００８】
上記課題を解決するために、本発明では、以下のような構成の遊技機を提供する。
【０００９】
光源（例えば、後述のＬＥＤ８５）と装飾部材（例えば、後述の装飾部材２０１Ｌ）を備える遊技機であって、
前記装飾部材は、集光部（例えば、後述の集光部２１１）と前記集光部とネジで係止される外装部（例えば、後述の外装部２１３）を備え、
前記集光部は、前記光源から発せられた光が入射する光入射部（例えば、後述の光入射部２２４）と、前記光入射部から入射した光を出射する光射出部（例えば、後述のベース片２２１の光出射面２２６）と、前記光射出部から出射された光を遊技機の前方側に向けて反射可能な反射部（例えば、後述の突出片２２２）とを有し、
前記外装部は、前記ネジを挿入可能なねじ穴（例えば、後述のねじ貫通孔２６１ａ）を有し、
前記集光部は、前記光射出部及び前記反射部よりも後方に前記ネジを挿入可能なネジ穴（例えば、後述のねじ止め部２２９）を有する
ことを特徴とする遊技機。
【００１０】
また、上記構成の遊技機において、
前記反射部は、前記集光部の前記光射出部のある面から突出しているようにしてもよい。
また、上記構成の遊技機において、
前記装飾部材は、所定の壁面（例えば、後述の液晶表示装置１１の画面）の前方に設けられ、
前記外装部のネジ穴は、前記所定の壁面と対向する外装部後面（例えば、後述の外装部２１３の後板２６１）に設けられ、
前記外装部後面は、前記所定の壁面と近接しているようにしてもよい。
【発明の効果】
【００１１】
本発明によれば、装飾部材を十分に発光させることができる。
【図面の簡単な説明】
【００１２】
【図１】本発明の一実施形態の遊技機における機能フローを説明する説明図である。
【図２】本発明の一実施形態の遊技機における外観構成例を示す斜視図である。
【図３】本発明の一実施形態の遊技機における内部構造を示すものであり、ミドルドアを閉じた状態の斜視図である。
【図４】本発明の一実施形態の遊技機における内部構造を示すものであり、ミドルドアを開けた状態の斜視図である。
【図５】本発明の一実施形態の遊技機におけるキャビネットの内部を示す説明図である。
【図６】本発明の一実施形態の遊技機におけるフロントドアの裏面側を示す説明図である。
【図７】本発明の一実施形態の遊技機における制御系を示すブロック図である。
【図８】本発明の一実施形態の遊技機における主制御回路の構成例を示すブロック図である。
【図９】本発明の一実施形態の遊技機における副制御回路の構成例を示すブロック図である。
【図１０】本発明の一実施形態の遊技機におけるフロントパネルを示す説明図である。
【図１１】本発明の一実施形態の遊技機におけるフロントパネルから装飾部材及び光源を外した状態を示す説明図である。
【図１２】本発明の一実施形態の遊技機における装飾部材を背面側から見た斜視図である。
【図１３】本発明の一実施形態の遊技機における装飾部材の分解斜視図である。
【図１４】本発明の一実施形態の遊技機における装飾部材の分解斜視図である。
【図１５】本発明の一実施形態の遊技機における装飾部材の取り付け状態を示す断面図である。
【発明を実施するための形態】
【００１３】
以下、本発明の一実施形態を示す遊技機であるパチスロについて、図１〜図１４を参照しながら説明する。
【００１４】
＜機能フロー＞
まず、図１を参照して、パチスロの機能フローについて説明する。
本実施の形態のパチスロでは、遊技を行うための遊技媒体としてメダルを用いる。なお、遊技媒体としては、メダル以外にも、コイン、遊技球、遊技用のポイントデータ又はトークン等を適用することもできる。
【００１５】
遊技者によりメダルが投入され、スタートレバーが操作されると、予め定められた数値の範囲（例えば、０〜６５５３５）の乱数から１つの値（以下、乱数値）が抽出される。
【００１６】
内部抽籤手段は、抽出された乱数値に基づいて抽籤を行い、内部当籤役を決定する。こ 
の内部抽籤手段は、後述する主制御回路が担う。内部当籤役の決定により、後述の入賞判定ラインに沿って表示を行うことを許可する図柄の組合せが決定される。なお、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００１７】
また、スタートレバーが操作されると、複数のリールの回転が行われる。その後、遊技者により所定のリールに対応するストップボタンが押されると、リール停止制御手段は、内部当籤役とストップボタンが押されたタイミングとに基づいて、該当するリールの回転を停止する制御を行う。このリール停止制御手段は、後述する主制御回路が担う。
【００１８】
パチスロでは、基本的に、ストップボタンが押されたときから規定時間（１９０ｍｓｅｃ又は７５ｍｓｅｃ）内に、該当するリールの回転を停止する制御が行われる。本実施形態では、この規定時間内にリールの回転に伴って移動する図柄の数を「滑り駒数」と呼ぶ。規定期間が１９０ｍｓｅｃである場合には、滑り駒数の最大数を図柄４個分に定め、規定期間が７５ｍｓｅｃである場合には、滑り駒数の最大数を図柄１個分に定める。
【００１９】
リール停止制御手段は、入賞に係る図柄の組合せ表示を許可する内部当籤役が決定されているときは、通常、１９０ｍｓｅｃ（図柄４コマ分）の規定時間内に、その図柄の組合せが入賞判定ラインに沿って極力表示されるようにリールの回転を停止させる。また、リール停止制御手段は、例えば、第２種特別役物であるチャレンジボーナス（ＣＢ）及びＣＢを連続して作動させるミドルボーナス（ＭＢ）の動作時には、１つ以上のリールに対して、規定時間７５ｍｓｅｃ（図柄１コマ分）内に、その図柄の組合せが入賞判定ラインに沿って極力表示されるようにリールの回転を停止させる。さらに、リール停止制御手段は、遊技状態に対応する各種規定時間を利用して、内部当籤役によってその表示が許可されていない図柄の組合せが入賞判定ラインに沿って表示されないようにリールの回転を停止させる。
【００２０】
こうして、複数のリールの回転がすべて停止されると、入賞判定手段は、入賞判定ラインに沿って表示された図柄の組合せが、入賞に係るものであるか否かの判定を行う。この入賞判定手段は、後述する主制御回路が担う。入賞判定手段により入賞に係るものであるとの判定が行われると、メダルの払い出し等の特典が遊技者に与えられる。パチスロでは、以上のような一連の流れが１回の遊技として行われる。
【００２１】
また、パチスロでは、前述した一連の流れの中で、液晶表示装置などの表示装置により行う映像の表示、各種ランプにより行う光の出力、スピーカにより行う音の出力、或いはこれらの組合せを利用して様々な演出が行われる。
【００２２】
スタートレバーが操作されると、上述した内部当籤役の決定に用いられた乱数値とは別に、演出用の乱数値（以下、演出用乱数値）が抽出される。演出用乱数値が抽出されると、演出内容決定手段は、内部当籤役に対応づけられた複数種類の演出内容の中から今回実行するものを抽籤により決定する。この演出内容決定手段は、後述する副制御回路が担う。
【００２３】
演出内容が決定されると、演出実行手段は、リールの回転開始時、各リールの回転停止時、入賞の有無の判定時等の各契機に連動させて対応する演出を実行する。このように、パチスロでは、内部当籤役に対応づけられた演出内容を実行することによって、決定された内部当籤役（言い換えると、狙うべき図柄の組合せ）を知る機会又は予想する機会が遊技者に提供され、遊技者の興味の向上を図ることができる。
【００２４】
＜パチスロの構造＞
次に、図２〜図６を参照して、一実施形態におけるパチスロ１の構造について説明する。
【００２５】
［外観構造］
図２は、パチスロ１の外部構造を示す斜視図である。
【００２６】
図２に示すように、パチスロ１は、外装体２を備えている。外装体２は、後述するホッパー装置５１やメダル補助収納庫５２等（図５参照）を収容するキャビネット２ａと、キャビネット２ａに対して開閉可能に取り付けられるフロントドア２ｂとを有している。
キャビネット２ａの両側面には、把手７が設けられている（図２では一側面の把手７のみを示す）。この把手７は、パチスロ１を運搬するときに手をかける凹部である。
【００２７】
外装体２の内部には、３つのリール３Ｌ，３Ｃ，３Ｒが横並びに設けられている。以下、各リール３Ｌ，３Ｃ，３Ｒを、それぞれ左リール３Ｌ、中リール３Ｃ、右リール３Ｒという。各リール３Ｌ，３Ｃ，３Ｒは、円筒状に形成されたリール本体と、リール本体の周面に装着された透光性のシート材を有している。シート材の表面には、複数（例えば２０個）の図柄が周方向に沿って所定の間隔をあけて描かれている。
【００２８】
フロントドア２ｂは、ドア本体９と、フロントパネル１０と、表示装置の一具体例を示す液晶表示装置１１とを備えている。
【００２９】
ドア本体９は、ヒンジ（不図示）を用いてキャビネット２ａに取り付けられており、キャビネット２ａの開口部を開閉する。ヒンジは、パチスロ１の前方からドア本体９を見た場合に、ドア本体９における左側の端部に設けられている。液晶表示装置１１は、ドア本体９の上部に取り付けられている。この液晶表示装置１１は、表示部（表示画面）１１ａを備えており、液晶表示装置１１を用いて映像の表示による演出が実行される。
【００３０】
フロントパネル１０は、液晶表示装置１１の表示部１１ａ側に重畳して配置され、液晶表示装置１１の表示部１１ａを露出させるパネル開口１０ａを有する枠状に形成されている。フロントパネル１０には、ランプ群１８と、装飾部材２０１Ｌ，２０１Ｒが設けられている（装飾部材２０１Ｒは図１０参照）。ランプ群１８は、ＬＥＤ（Light Emitting Diode）等で構成され、演出内容に対応するパターンで、光を点灯及び消灯する。装飾部材２０１Ｌ，２０１Ｒについては、後で図１０〜図１５を参照して説明する。
【００３１】
フロントドア２ｂの中央には、台座部１２が形成されている。この台座部１２には、図柄表示領域４と、遊技者による操作の対象となる各種装置が設けられている。
【００３２】
図柄表示領域４は、正面から見て３つのリール３Ｌ，３Ｃ，３Ｒに重畳する手前側に配置されており、３つのリール３Ｌ，３Ｃ，３Ｒに対応して設けられている。この図柄表示領域４は、表示窓としての機能を果たすものであり、その背後に設けられた各リール３Ｌ，３Ｃ，３Ｒを透過することが可能な構成になっている。以下、図柄表示領域４を、リール表示窓４という。
【００３３】
リール表示窓４は、その背後に設けられたリール３Ｌ，３Ｃ，３Ｒの回転が停止されたとき、各リール３Ｌ，３Ｃ，３Ｒの複数種類の図柄のうち、その枠内における上段、中段及び下段の各領域にそれぞれ１個の図柄（合計で３個）を表示する。本実施の形態では、リール表示窓４の上段、中段及び下段からなる３つの領域のうち予め定められたいずれかを組み合わせて構成される擬似的なラインを、入賞か否かの判定を行う対象となるライン（入賞判定ライン）として定義する。 
【００３４】
リール表示窓４は、台座部１２に設けられた枠部材１３により形成されている。この枠部材１３は、リール表示窓４と、情報表示窓１４と、ストップボタン取付部１５を有している。
【００３５】
情報表示窓１４は、リール表示窓４の下部に連続して設けられており、上方に向かって開口している。すなわち、リール表示窓４と情報表示窓１４は、連続する１つの開口部として形成されている。この情報表示窓１４及びリール表示窓４は、透明の窓カバー１６によって覆われている。
【００３６】
窓カバー１６は、枠部材１３の内面側に配置されており、フロントドア２ｂの前面側から取り外し不可能になっている。また、枠部材１３は、窓カバー１６を挟んで情報表示窓１４の開口に対向するシート載置部１７を有している。そして、シート載置部１７と窓カバー１６との間には、遊技に関する情報が記載されたシート部材（情報シート）が配置されている。したがって、情報シートは、凹凸や隙間の無い滑らかな表面を有する窓カバー１６により覆われている。
【００３７】
情報シートの取付部を構成する窓カバー１６は、フロントドア２ｂの前面側から取り外し不可能であり、凹凸や隙間の無い滑らかな表面であるため、情報シートの取付部を利用して、パチスロ１の内部にアクセスする不正行為を防ぐことができる。
【００３８】
ストップボタン取付部１５は、情報表示窓１４の下方に設けられており、正面を向いた平面に形成されている。このストップボタン取付部１５には、ストップボタン１９Ｌ，１９Ｃ，１９Ｒが貫通する貫通孔が設けられている。ストップボタン１９Ｌ，１９Ｃ，１９Ｒは、３つのリール３Ｌ，３Ｃ，３Ｒのそれぞれに対応づけられ、対応するリールの回転を停止するために設けられる。以下、ストップボタン１９Ｌ，１９Ｃ，１９Ｒを、それぞれ左ストップボタン１９Ｌ、中ストップボタン１９Ｃ、右ストップボタン１９Ｒという。
【００３９】
ストップボタン１９Ｌ，１９Ｃ，１９Ｒは、遊技者による操作の対象となる各種装置の一例を示す。また、台座部１２には、遊技者による操作の対象となる各種装置として、メダル投入口２１、ＢＥＴボタン２２、スタートレバー２３が設けられている。
【００４０】
メダル投入口２１は、遊技者によって外部から投下されるメダルを受け入れるために設けられる。メダル投入口２１に受け入れられたメダルは、予め定められた規定数を上限として１回の遊技に投入されることとなり、規定数を超えた分はパチスロ１の内部に預けることが可能となる（いわゆるクレジット機能）。
【００４１】
ＢＥＴボタン２２は、パチスロ１の内部に預けられているメダルから１回の遊技に投入する枚数を決定するために設けられる。スタートレバー２３は、全てのリール（３Ｌ，３Ｃ，３Ｒ）の回転を開始するために設けられる。
【００４２】
また、フロントドア２ｂを正面から見てリール表示窓４の左側方には、７セグメントＬＥＤ（Light Emitting Diode）からなる７セグ表示器２４が設けられている。この７セグ表示器２４は、特典として遊技者に対して払い出すメダルの枚数（以下、払出枚数）、パチスロ内部に預けられているメダルの枚数（以下、クレジット枚数）等の情報をデジタル表示する。
【００４３】
フロントドア２ｂを正面から見て台座部１２の左側には、精算ボタン２７が設けられている。この精算ボタン２７は、パチスロ１の内部に預けられている外部に引き出す（排出する）ために設けられる。台座部１２の下方には、腰部パネルユニット３１が設けられて 
いる。腰部パネルユニット３１は、任意の画像が描かれた装飾パネルと、この装飾パネルを背面側から照明するための光を出射する光源を有している。
【００４４】
腰部パネルユニット３１の下方には、メダル払出口３２と、スピーカ用孔３３Ｌ，３３Ｒと、メダルトレイユニット３４が設けられている。メダル払出口３２は、後述のホッパー装置５１の駆動により排出されるメダルを外部に導く。メダル払出口３２から排出されたメダルは、メダルトレイユニット３４に貯められる。スピーカ用孔３３Ｌ，３３Ｒは、演出内容に応じた効果音や楽曲等の音を出力するために設けられている。
【００４５】
［内部構造］
図３及び図４は、パチスロ１の内部構造を示す斜視図である。この図３では、フロントドア２ｂが開放され、フロントドア２ｂの裏面側に設けられたミドルドア４１がフロントドア２ｂに対して閉じた状態を示している。また、図４では、フロントドア２ｂが開放され、ミドルドア４１がフロントドア２ｂに対して開いた状態を示している。
また、図５は、キャビネット２ａの内部を示す説明図である。図６は、フロントドア２ｂの裏面側を示す説明図である。
【００４６】
キャビネット２ａは、上面板２０ａと、底面板２０ｂと、左右の側面板２０ｃ，２０ｄと、背面板２０ｅを有している（図５参照）。キャビネット２ａ内部の上側には、キャビネット側スピーカ４２が配設されている。このキャビネット側スピーカ４２は、取付ブラケット４３Ｌ，４３Ｒを介してキャビネット２ａの背面板２０ｅに取り付けられている。キャビネット側スピーカ４２は、例えば、効果音を出力するためのスピーカである。
【００４７】
キャビネット２ａ内部を正面から見て、キャビネット側スピーカ４２の左側方には、キャビネット側中継基板４４が配設されている。このキャビネット側中継基板４４は、キャビネット２ａの左側面板２０ｃに取り付けられている。キャビネット側中継基板４４は、ミドルドア４１（図３及び図４参照）に取り付けられた後述する主制御基板７１（図７参照）と、ホッパー装置５１、メダル補助収納庫スイッチ（不図示）、メダル払出カウントスイッチ（不図示）とを接続する配線の中継を行う。
【００４８】
キャビネット２ａ内部の中央部には、キャビネット側スピーカ４２による音の出力を制御するアンプ基板４５が配設されている。このアンプ基板４５は、左右の側面板２０ｃ，２０ｄに固定された取付棚４６に取り付けられている。
【００４９】
また、キャビネット２ａ内部を正面から見て、アンプ基板４５の右側には、外部集中端子板４７が配設されている（図５参照）。この外部集中端子板４７は、キャビネット２ａの右側面板２０ｄに取り付けられている。外部集中端子板４７は、メダル投入信号、メダル払出信号及びセキュリティー信号などの信号をパチスロ１の外部へ出力するために設けられている。
【００５０】
キャビネット２ａ内部を正面から見て、アンプ基板４５の左側には、サブ電源装置４８が配設されている。このサブ電源装置４８は、キャビネット２ａの左側面板２０ｃに取り付けられている。サブ電源装置４８は、交流電圧１００Ｖの電力を後述する電源装置５３に供給する。また、交流電圧１００Ｖの電力を直流電圧の電力に変換して、アンプ基板４５に供給する。
【００５１】
キャビネット２ａの内部の下側には、メダル払出装置（以下、ホッパー装置）５１と、メダル補助収納庫５２と、電源装置５３が配設されている。
【００５２】
ホッパー装置５１は、キャビネット２ａにおける底面板２０ｂの中央部に取り付けられ 
ている。このホッパー装置５１は、多量のメダルを収容可能であり、それらを１枚ずつ排出可能な構造を有する。ホッパー装置５１は、貯留されたメダルが例えば５０枚を超えたとき、又は精算ボタン２７（図２参照）が押圧されてメダルの精算を行うときに、メダルを払い出す。ホッパー装置５１によって払い出されたメダルは、メダル払出口３２（図２参照）から排出される。
【００５３】
メダル補助収納庫５２は、ホッパー装置５１から溢れ出たメダルを収納する。このメダル補助収納庫５２は、キャビネット２ａ内部を正面から見て、ホッパー装置５１の右側に配置されている。メダル補助収納庫５２は、キャビネット２ａの底面板２０ｂに係合されており、底面板２０ｂに対して着脱可能に構成されている。
【００５４】
電源装置５３は、キャビネット２ａ内部を正面から見て、ホッパー装置５１の左側に配置されており、左側面板２０ｃに取り付けられている。この電源装置５３は、電源スイッチ５３ａと、電源基板５３ｂを有している（図７参照）。電源装置５３は、サブ電源装置４８から供給された交流電圧１００Ｖの電力を各部で必要な直流電圧の電力に変換して、変換した電力を各部へ供給する。
【００５５】
図３，図４及び図６に示すように、ミドルドア４１は、フロントドア２ｂの裏面における中央部に配置され、リール表示窓４（図４参照）を裏側から開閉可能に構成されている。ミドルドア４１の上部と下部には、ドアストッパ４１ａ，４１ｂ，４１ｃが設けられている。このドアストッパ４１ａ，４１ｂ，４１ｃは、リール表示窓４を裏側から閉じた状態のミドルドア４１の開動作を固定（禁止）する。すなわち、ミドルドア４１を開くには、ドアストッパ４１ａ，４１ｂ，４１ｃを回転させてミドルドア４１の固定を解除する必要がある。
【００５６】
ミドルドア４１には、主制御基板７１（図７参照）を収納した主制御基板ケース５５と、３つのリール３Ｌ，３Ｃ，３Ｒが取り付けられている。３つのリール３Ｌ，３Ｃ，３Ｒには、所定の減速比をもったギアを介してステッピングモータが接続されている。
【００５７】
図６に示すように、主制御基板ケース５５には、設定用鍵型スイッチ５６が設けられている。この設定用鍵型スイッチ５６は、パチスロ１の設定を変更もしくはパチスロ１の設定の確認を行うときに使用する。
本実施の形態では、主制御基板ケース５５と、この主制御基板ケース５５に収納された主制御基板７１により、主制御基板ユニットが構成されている。
【００５８】
主制御基板ケース５５に収納された主制御基板７１は、後述する主制御回路９１（図８参照）を構成する。主制御回路９１は、内部当籤役の決定、リール３Ｌ，３Ｃ，３Ｒの回転及び停止、入賞の有無の判定といった、パチスロ１における遊技の主な流れを制御する回路である。主制御回路９１の具体的な構成は後述する。
【００５９】
ミドルドア４１の上方には、副制御基板７２（図７参照）を収容する副制御基板ケース５７が配設されおり、副制御基板ケース５７の上方には、センタースピーカ５８が配設されている。副制御基板ケース５７に収納された副制御基板７２は、副制御回路１０１（図９参照）を構成する。この副制御回路１０１は、映像の表示等による演出の実行を制御する回路である。副制御回路１０１の具体的な構成は後述する。
【００６０】
フロントドア２ｂを裏面側から見て、副制御基板ケース５７の右側方には、副中継基板６１が配設されている。この副中継基板６１は、副制御基板７２と主制御基板７１とを接続する配線を中継する。また、副制御基板７２と副制御基板７２の周辺に配設された基板とを接続する配線を中継する基板である。なお、副制御基板７２の周辺に配設される基板 
としては、後述するＬＥＤ基板６２Ａ，６２Ｂ，６２Ｃが挙げられる。
【００６１】
ＬＥＤ基板６２Ａ，６２Ｂ，６２Ｃは、フロントドア２ｂの裏面側から見て、副制御基板ケース５７の両側に配設されている。これらＬＥＤ基板６２Ａ，６２Ｂ，６２Ｃは、副制御回路１０１（図８参照）の制御により実行される演出に応じて、光源の一具体例を示す複数のＬＥＤ（Light Emitting Diode）８５（図７参照）を発光させて、点滅パターンを表示する。なお、本実施の形態のパチスロ１には、ＬＥＤ基板６２Ａ，６２Ｂ，６２Ｃ以外に複数のＬＥＤ基板を備えている。
【００６２】
副中継基板６１の下方には、２４ｈドア開閉監視ユニット６３が配設されている。この２４ｈドア開閉監視ユニット６３は、ミドルドア４１の開閉の履歴を保存する。また、ミドルドア４１を開放したときに、液晶表示装置１１にエラー表示を行うための信号を副制御基板７２（副制御回路１０１）に出力する。
【００６３】
ミドルドア４１の下方には、ボードスピーカ６４と、下部スピーカ６５Ｌ，６５Ｒが配設されている。ボードスピーカ６４は、腰部パネルユニット３１（図２参照）に対向しており、下部スピーカ６５Ｌ，６５Ｒは、それぞれスピーカ用孔３３Ｌ，３３Ｒ（図２参照）に対向している。
【００６４】
下部スピーカ６５Ｌの上方には、セレクタ６６と、ドア開閉監視スイッチ６７が配設されている。セレクタ６６は、メダルの材質や形状等が適正であるか否かを選別する装置であり、メダル投入口２１に投入された適正なメダルをホッパー装置５１へ案内する。セレクタ６６内においてメダルが通過する経路上には、適正なメダルが通過したことを検出するメダルセンサ（不図示）が設けられている。
【００６５】
ドア開閉監視スイッチ６７は、フロントドア２ｂを裏面側から見て、セレクタ６６の左側方に配置されている。このドア開閉監視スイッチ６７は、パチスロ１の外部へ、フロントドア２ｂの開閉を報知するためのセキュリティー信号を出力する。
【００６６】
また、リール表示窓４の下方であってミドルドア４１により開閉される領域には、ドア中継端子板６８が配設されている（図４参照）。このドア中継端子板６８は、主制御基板ケース５５内の主制御基板７１（図７参照）と、各種のボタンやスイッチ、副制御基板７２（図７参照）、セレクタ６６及び遊技動作表示基板８１（図７参照）との配線を中継する基板である。なお、各種のボタン及びスイッチとしては、例えば、ＢＥＴボタン２２、精算ボタン２７、ドア開閉監視スイッチ６７、後述するＢＥＴスイッチ７７、スタートスイッチ７９等を挙げることができる。
【００６７】
＜パチスロが備える回路の構成＞
次に、パチスロ１が備える回路の構成について、図７〜図９を参照して説明する。
図７は、パチスロ１が備える回路全体のブロック構成図である。図８は、主制御回路の内部構成を示すブロック構成図である。図９は、副制御回路の内部構成を示すブロック構成図である。
【００６８】
パチスロ１は、ミドルドア４１に配設された主制御基板７１と、フロントドア２ｂに配設された副制御基板７２を有している。
主制御基板７１には、リール中継端子板７４と、設定用鍵型スイッチ５６と、外部集中端子板４７と、ホッパー装置５１と、メダル補助収納庫スイッチ７５と、電源装置５３の電源基板５３ｂが接続されている。設定用鍵型スイッチ５６、外部集中端子板４７、ホッパー装置５１及びメダル補助収納庫スイッチ７５は、キャビネット側中継基板４４を介して主制御基板７１に接続されている。外部集中端子板４７及びホッパー装置５１について 
は、上述したため、説明を省略する。
【００６９】
リール中継端子板７４は、各リール３Ｌ，３Ｃ，３Ｒのリール本体の内側に配設されている。このリール中継端子板７４は、各リール３Ｌ，３Ｃ，３Ｒのステッピングモータ（不図示）に電気的に接続されており、主制御基板７１からステッピングモータに出力される信号を中継する。
【００７０】
メダル補助収納庫スイッチ７５は、メダル補助収納庫５２のスイッチ貫通孔（非表示）を貫通している。このメダル補助収納庫スイッチ７５は、メダル補助収納庫５２がメダルで満杯になっているか否かを検出する。
【００７１】
電源装置５３の電源基板５３ｂには、電源スイッチ５３ａが接続されている。この電源スイッチ５３ａは、パチスロ１に必要な電源を供給するときにＯＮにする。
【００７２】
また、主制御基板７１には、ドア中継端子板６８を介して、セレクタ６６、ドア開閉監視スイッチ６７、ＢＥＴスイッチ７７、精算スイッチ７８、スタートスイッチ７９、ストップスイッチ基板８０、遊技動作表示基板８１及び副中継基板６１が接続されている。セレクタ６６、ドア開閉監視スイッチ６７及び副中継基板６１については、上述したため、説明を省略する。
【００７３】
ＢＥＴスイッチ７７は、ＢＥＴボタン２２が遊技者により押されたことを検出する。精算スイッチ７８は、精算ボタン２７が遊技者により押されたことを検出する。スタートスイッチ７９は、スタートレバー２３が遊技者により操作されたこと（開始操作）を検出する。
【００７４】
ストップスイッチ基板８０は、回転しているリールを停止させるための回路と、停止可能なリールをＬＥＤなどにより表示するための回路を構成する基板である。このストップスイッチ基板８０には、ストップスイッチが設けられている。ストップスイッチは、各ストップボタン１９Ｌ，１９Ｃ，１９Ｒが遊技者により押されたこと（停止操作）を検出する。
【００７５】
遊技動作表示基板８１は、メダルの投入を受け付けるとき、３つのリール３Ｌ，３Ｃ，３Ｒが回動可能なとき及び再遊技を行うときに、投入されたメダルの枚数を７セグ表示器２４に表示させるための基板である。この遊技動作表示基板８１には、７セグ表示器２４とＬＥＤ８２が接続されている。ＬＥＤ８２は、例えば、遊技の開始を表示するマークや再遊技を行うマークなどを点灯させる。
【００７６】
副制御基板７２は、ドア中継端子板６８と副中継基板６１を介して主制御基板７１に接続されている。この副制御基板７２には、副中継基板６１を介して、サウンドＩ／Ｏ基板８４、ＬＥＤ基板６２Ａ，６２Ｂ，６２Ｃ、２４ｈドア開閉監視ユニット６３が接続されている。これらＬＥＤ基板６２Ａ，６２Ｂ，６２Ｃ及び２４ｈドア開閉監視ユニット６３については、上述したため、説明を省略する。
【００７７】
サウンドＩ／Ｏ基板８４は、センタースピーカ５８、ボードスピーカ６４、下部スピーカ６５Ｌ，６５Ｒ及びフロントドア２ｂに設けられた不図示のスピーカへの音声の出力を行う。
【００７８】
また、副制御基板７２には、ロムカートリッジ基板８６と、液晶中継基板８７が接続されている。これらロムカートリッジ基板８６及び液晶中継基板８７は、副制御基板７２と共に副制御基板ケース５７に収納されている。 
ロムカートリッジ基板８６は、演出用の画像（映像）、音声、ＬＥＤ基板６２Ａ，６２Ｂ及びその他のＬＥＤ基板（不図示）、通信のデータを管理するための基板である。液晶中継基板８７は、副制御基板７２と液晶表示装置１１とを接続する配線を中継する基板である。
【００７９】
＜主制御回路＞
次に、主制御基板７１により構成される主制御回路９１について、図８を参照して説明する。
図８は、パチスロ１の主制御回路９１の構成例を示すブロック図である。
【００８０】
主制御回路９１は、主制御基板７１上に設置されたマイクロコンピュータ９２を主たる構成要素としている。マイクロコンピュータ９２は、メインＣＰＵ９３、メインＲＯＭ９４及びメインＲＡＭ９５により構成される。メインＣＰＵ９３と前述のホッパー装置５１は、本発明の遊技媒体払出装置を構成している。
【００８１】
メインＲＯＭ９４には、メインＣＰＵ９３により実行される制御プログラム、データテーブル、副制御回路１０１に対して各種制御指令（コマンド）を送信するためのデータ等が記憶されている。メインＲＡＭ９５には、制御プログラムの実行により決定された内部当籤役等の各種データを格納する格納領域が設けられる。
【００８２】
メインＣＰＵ９３には、クロックパルス発生回路９６、分周器９７、乱数発生器９８及びサンプリング回路９９が接続されている。クロックパルス発生回路９６及び分周器９７は、クロックパルスを発生する。メインＣＰＵ９３は、発生されたクロックパルスに基づいて、制御プログラムを実行する。乱数発生器９８は、予め定められた範囲の乱数（例えば、０〜６５５３５）を発生する。サンプリング回路９９は、発生された乱数の中から１つの値を抽出する。
【００８３】
メインＣＰＵ９３は、リールインデックスを検出してから各リール３Ｌ，３Ｃ，３Ｒのステッピングモータに対してパルスを出力した回数をカウントする。これにより、メインＣＰＵ９３は、各リール３Ｌ，３Ｃ，３Ｒの回転角度（主に、リールが図柄何個分だけ回転したか）を管理する。
なお、リールインデックスとは、リールが一回転したことを示す情報である。このリールインデックスは、例えば、発光部及び受光部を有する光センサと、各リール３Ｌ，３Ｃ，３Ｒの所定の位置に設けられ、各リール３Ｌ，３Ｃ，３Ｒの回転により発光部と受光部との間に介在される検知片を備えたリール位置検出部（不図示）により検出する。
【００８４】
ここで、各リール３Ｌ，３Ｃ，３Ｒの回転角度の管理について、具体的に説明する。ステッピングモータに対して出力されたパルスの数は、メインＲＡＭ９５に設けられたパルスカウンタによって計数される。そして、図柄１つ分の回転に必要な所定回数（例えば１６回）のパルスの出力がパルスカウンタで計数される毎に、メインＲＡＭ９５に設けられた図柄カウンタが１ずつ加算される。図柄カウンタは、各リール３Ｌ，３Ｃ，３Ｒに応じて設けられている。図柄カウンタの値は、リール位置検出部（不図示）によってリールインデックスが検出されるとクリアされる。
【００８５】
つまり、本実施の形態では、図柄カウンタを管理することにより、リールインデックスが検出されてから図柄何個分の回転が行われたのかを管理するようになっている。したがって、各リール３Ｌ，３Ｃ，３Ｒの各図柄の位置は、リールインデックスが検出される位置を基準として検出される。
【００８６】
上述したように、滑り駒数の最大数を図柄４個分に定めた場合は、左ストップボタン１ 
９Ｌが押されたときにリール表示窓４の中段にある左リール３Ｌの図柄と、その４個先の図柄までの範囲内にある各図柄が、リール表示窓４の中段に停止可能な図柄となる。
【００８７】
＜副制御回路＞
次に、副制御基板７２により構成される副制御回路１０１について、図９を参照して説明する。
図９は、パチスロ１の副制御回路１０１の構成例を示すブロック図である。
【００８８】
副制御回路１０１は、主制御回路９１と電気的に接続されており、主制御回路９１から送信されるコマンドに基づいて演出内容の決定や実行等の処理を行う。副制御回路１０１は、基本的に、サブＣＰＵ１０２、サブＲＡＭ１０３、レンダリングプロセッサ１０４、描画用ＲＡＭ１０５、ドライバ１０６を含んで構成されている。
【００８９】
サブＣＰＵ１０２は、主制御回路９１から送信されたコマンドに応じて、ロムカートリッジ基板８６に記憶されている制御プログラムに従い、映像、音、光の出力の制御を行う。ロムカートリッジ基板８６は、基本的に、プログラム記憶領域とデータ記憶領域によって構成される。
【００９０】
プログラム記憶領域には、サブＣＰＵ１０２が実行する制御プログラムが記憶されている。例えば、制御プログラムには、主制御回路９１との通信を制御するための主基板通信タスクや、演出用乱数値を抽出し、演出内容（演出データ）の決定及び登録を行うための演出登録タスクが含まれる。また、決定した演出内容に基づいて液晶表示装置１１（図６参照）による映像の表示を制御する描画制御タスク、ＬＥＤ８５等の光源による光の出力を制御するランプ制御タスク、スピーカ５８，６４，６５Ｌ，６５Ｒ等のスピーカによる音の出力を制御する音声制御タスク等が含まれる。
【００９１】
データ記憶領域は、各種データテーブルを記憶する記憶領域、各演出内容を構成する演出データを記憶する記憶領域、映像の作成に関するアニメーションデータを記憶する記憶領域が含まれている。また、ＢＧＭや効果音に関するサウンドデータを記憶する記憶領域、光の点消灯のパターンに関するランプデータを記憶する記憶領域等が含まれている。
【００９２】
サブＲＡＭ１０３は、決定された演出内容や演出データを登録する格納領域や、主制御回路９１から送信される内部当籤役等の各種データを格納する格納領域が設けられている。
【００９３】
サブＣＰＵ１０２、レンダリングプロセッサ１０４、描画用ＲＡＭ（フレームバッファを含む）１０５及びドライバ１０６は、演出内容により指定されたアニメーションデータに従って映像を作成し、作成した映像を液晶表示装置１１に表示させる。
【００９４】
また、サブＣＰＵ１０２は、演出内容により指定されたサウンドデータに従ってＢＧＭなどの音をスピーカ５８，６４，６５Ｌ，６５Ｒ等のスピーカにより出力させる。また、サブＣＰＵ１０２は、演出内容により指定されたランプデータに従ってＬＥＤ８５等の光源の点灯及び消灯を制御する。
【００９５】
＜フロントパネルの構成＞
次に、フロントパネル１０の構成について、図１０及び図１１を参照して説明する。
図１０は、フロントパネル１０を示す説明図である。図１１は、フロントパネル１０から装飾部材２０１Ｌ及び複数のＬＥＤ（光源）８５を外した状態を示す説明図である。
【００９６】
図１０に示すように、フロントパネル１０は、液晶表示装置１１及び台座部１２を露出 
させる枠状に形成されており、上枠辺１０ｂと、下枠辺１０ｃと、左枠辺１０ｄと、右枠辺１０ｅとを有している。
【００９７】
上枠辺１０ｂの中央部には、ランプ群１８が設けられている。また、左枠辺１０ｄには、複数のＬＥＤ８５（図１０では非表示）と、装飾部材２０１Ｌが設けられており、右枠辺１０ｅには、複数のＬＥＤ８５（図１０では非表示）と、装飾部材２０１Ｒが設けられている。
【００９８】
図１１に示すように、左枠辺１０ｄの右側面は、フロントパネル１０の内周面の一部を形成している。この左枠辺１０ｄの右側面には、上下方向に長い開口部１２０が形成されている。複数のＬＥＤ８５は、ＬＥＤ基板６２Ａ，６２Ｂ，６２Ｃに実装されており、ＬＥＤ基板６２Ａ，６２Ｂ，６２Ｃは、左枠辺１０ｄの内部に配置されている。
【００９９】
また、左枠辺１０ｄの内部には、導光パネル１３０が配置されている。導光パネル１３０は、上下方向に長い略長方形の板状に形成されており、平面の外形は、開口部１２０よりも大きい。この導光パネル１３０は、複数のＬＥＤ８５に対向する複数の光入射部１３１と、一方の平面に形成された光出射部１３２とを有している。導光パネル１３０の光出射部１３２は、左枠辺１０ｄの開口部１２０に対向している。
【０１００】
なお、右枠辺１０ｅの左側面は、フロントパネル１０の内周面の一部を形成しており、上下方向に長い開口部を有している。そして、右枠辺１０ｅの内部には、左枠辺１０ｄの内部と同様に、ＬＥＤ基板及び導光パネルが配置されている。導光パネルは、上下方向に長い略長方形の板状に形成されており、ＬＥＤ基板に実装された複数のＬＥＤに対向する複数の光入射部と、一方の平面に形成された光出射部とを有している。
【０１０１】
＜装飾部材の構成＞
次に、装飾部材２０１Ｌの構成について、図１２〜図１４を参照して説明する。
図１２は、装飾部材２０１Ｌを背面側から見た斜視図である。図１３及び図１４は、装飾部材２０１Ｌの分解斜視図である。
【０１０２】
フロントパネル１０には、装飾部材２０１Ｌ，２０１Ｒが設けられている（図１０参照）。装飾部材２０１Ｌ，２０１Ｒは、同じ構成であり、左右対称に形成されている。そのため、ここでは、装飾部材２０１Ｌを例に挙げて、本実施形態に係る装飾部材の構成について説明する。
【０１０３】
図１２〜図１４に示すように、装飾部材２０１Ｌは、集光部２１１と、透光部２１２と、外装部２１３とを備えている。
【０１０４】
集光部２１１は、上下方向に長い略長方形のベース片２２１と、ベース片２２１から突出する突出片２２２とを有している。ベース片２２１の一方の平面は、透光部２１２及び外装部２１３に対向し、他方の平面は、導光パネル１３０（図１１参照）に対向する。図１４に示すように、ベース片２２１の他方の平面には、導光パネル１３０から出射された光が入射する光入射部２２４が設けられている。光入射部２２４は、光を一方の平面へ集めるための複数の溝によって形成されている。
【０１０５】
図１３に示すように、ベース片２２１の一方の平面は、係合面２２５Ａ，２２５Ｂと、光出射面２２６と、遮光部２２７Ａ，２２７Ｂを有している。係合面２２５Ａ，２２５Ｂは、ベース片２２１の幅方向の一端部であって長手方向の両端部に設けられており、左枠辺１０ｄの内面に係合する。これら係合面２２５Ａ，２２５Ｂは、本発明の遊技機に係るフロントパネルに係合する係合部の一具体例を示す。
【０１０６】
光出射面２２６は、ベース片２２１の幅方向の他側であって長手方向の中央部に設けられており、光入射部２２４の反対側に位置している。遮光部２２７Ａ，２２７Ｂは、ベース片２２１の長手方向において光出射面２２６の両側に設けられている。光出射面２２６と遮光部２２７Ａ，２２７Ｂとを合わせた平面形状は、左枠辺１０ｄにおける開口部１２０（図１１参照）の形状と略等しい。そして、光出射面２２６及び遮光部２２７Ａ，２２７Ｂは、開口部１２０によって外部に露出される。
【０１０７】
ベース片２２１における光出射面２２６及び光入射部２２４が設けられている端面には、複数の貫通溝２２８が形成されている。複数の貫通溝２２８は、ベース片２２１の長手方向に適当な間隔をあけて配置されている。これら複数の貫通溝２２８には、外装部２１３の後述する係止突起２６８が貫通する。
【０１０８】
本実施形態では、ベース片２２１における光出射面２２６及び光入射部２２４が設けられている端面に複数の貫通溝２２８を形成した。しかし、本発明に係る貫通溝としては、光出射面２２６及び光入射部２２４が設けられている端面に形成することに限定されず、外装部に設けた係止突起の位置に応じた任意の位置に形成することができる。
【０１０９】
突出片２２２は、ベース片２２１の一方の平面から突出しており、光出射面２２６に対して傾斜する板状に形成されている。この突出片２２２は、ベース片２２１の幅方向の略中央部に位置しており、光出射面２２６の複数の貫通溝２２８が設けられた辺と反対側の辺に沿って延びている。
【０１１０】
突出片２２２の一方の平面は、光出射面２２６から出射された光を透光部２１２に向けて反射させる反射面２２２ａである。この反射面２２２ａと光出射面２２６によって形成される角部は鈍角になっている。また、突出片２２２の他方の平面には、複数のねじ止め部２２９が設けられている。すなわち、光出射面２２６は、複数のねじ止め部２２９よりも前方に配置される。
【０１１１】
複数のねじ止め部２２９は、ベース片２２１の幅方向に延びる円柱状に形成されており、フロントドア２ｂの後方に向けて開口するねじ穴２２９ａ（図１２参照）を有している。ねじ穴２２９ａには、複数のねじ止め部２２９に透光部２１２及び外装部２１３を固定するためのねじが螺合される。
【０１１２】
透光部２１２は、透光台２３１と、透光台２３１の前方に配置されるカラーシート２３２と、カラーシート２３２の前方に配置されるシートカバー２３３とを備えている。
【０１１３】
透光台２３１は、一面が開口された略直方体状に形成されており、集光部２１１の光出射面２２６及び突出片２２２を覆う。この透光台２３１は、フロントドア２ｂの後方を向く後板２４１と、後板２４１に連続して互いに上下方向で対向する上板２４２及び下板２４３と、後板２４１、上板２４２及び下板２４３に連続する曲面板２４４とを有している。
透光台２３１の材料としては、透光性を有しているものであればよく、例えば、透明又は半透明の樹脂を挙げることができる。
【０１１４】
後板２４１は、集光部２１１のねじ止め部２２９に対向する。この後板２４１には、ねじ止め部２２９のねじ穴２２９ａに対向するねじ貫通孔２４１ａが形成されている。曲面板２４４は、集光部２１１と反対側に凸となるように湾曲しており、集光部２１１の光出射面２２６及び反射面２２２ａに対向する。曲面板２４４には、外装部２１３の後述する係止突起２６８が貫通する貫通溝２４８が形成されている。
【０１１５】
カラーシート２３２は、例えば、赤色や青色などフィルムからなり、透過した光の色を変化させる。このカラーシート２３２は、透光台２３１の曲面板２４４に対向する。また、カラーシート２３２には、外装部２１３の後述する係止突起２６８が貫通する貫通溝２３８が形成されている。
【０１１６】
本実施形態では、透光台２３１の前方にカラーシート２３２を配置する構成とした。しかし、本発明に係る透光台２３１の前方には、拡散シート、偏光シート、プリズムシートなどの種々の光学シート（フィルム）を配置してもよい。
【０１１７】
シートカバー２３３は、光が透過する透過領域２５１と、光を遮蔽する遮蔽領域２５２とを有している。透過領域２５１の輪郭は、外装部２１３の後述する開口２６４ａの輪郭と略等しい。透過領域２５１は、外装部２１３の後述する開口２６４ａに対向する。また、シートカバー２３３には、外装部２１３の後述する係止突起２６８が貫通する貫通溝２５８が形成されている。
【０１１８】
外装部２１３の材料としては、光を透過させない樹脂を挙げることができる。外装部２１３は、透光部２１２の透光台２３１と同様に、一面が開口された略直方体状に形成されており、透光部２１２を覆う。この外装部２１３は、フロントドア２ｂの後方を向く後板２６１と、後板２６１に連続して互いに上下方向で対向する上板２６２及び下板２６３と、後板２６１、上板２６２及び下板２６３に連続する装飾曲面板２６４とを有している。
【０１１９】
後板２６１は、透光台２３１に対向する。この後板２６１には、ねじ止め部２２９のねじ穴２２９ａに対向するねじ貫通孔２６１ａが形成されている。装飾曲面板２６４は、透光部２１２と反対側に凸となるように湾曲しており、透光部２１２における透過領域２５１を露出させる開口２６４ａを有している。この装飾曲面板２６４の表面には、凹凸によって表現される装飾が施されている。
【０１２０】
装飾曲面板２６４は、複数の係止突起２６８を有している（図１４参照）。複数の係止突起２６８は、装飾曲面板２６４の裏面から透光部２１２及び集光部２１１側に突出しており、貫通溝２３８，２４８，２５８を貫通して、左枠辺１０ｄの内面に係止される。
【０１２１】
＜装飾部材の取り付け＞
次に、装飾部材２０１Ｌの左枠辺１０ｄへの取り付けについて、図１５を参照して説明する。
図１５は、装飾部材２０１Ｌの取り付け状態を示す断面図である。
【０１２２】
装飾部材２０１Ｌの集光部２１１には、複数のねじ止め部２２９に螺合されたねじによって、透光部２１２の透光台２３１及び外装部２１３が固定されている。また、透光台２３１と外装部２１３との間には、カラーシート２３２及びシートカバー２３３が介在されている。
【０１２３】
これにより、集光部２１１、透光部２１２及び外装部２１３は、一体に組み立てられて、装飾部材２０１Ｌを形成している。そして、集光部２１１の係合面２２５Ａ，２２５Ｂが左枠辺１０ｄの内面に係合され、外装部２１３の複数の係止突起２６８が左枠辺１０ｄの内面に係止されることにより、装飾部材２０１Ｌは、左枠辺１０ｄに取り付けられている。
【０１２４】
装飾部材２０１Ｌを左枠辺１０ｄから取り外すには、複数のねじ止め部２２９からねじを取り外して、集光部２１１から外装部２１３を外す必要がある。しかし、複数のねじ止 
め部２２９のねじ穴２２９ａ（図１１参照）は、フロントドア２ｂの後方に向かって開口している。すなわち、複数のねじ止め部２２９のねじ穴２２９ａは、液晶表示装置１１の表示部１１ａ（図１０参照）に対向している。
【０１２５】
したがって、遊技者が複数のねじ止め部２２９に螺合されたねじを取り外すことは、困難である。その結果、フロントパネル１０（フロントドア２ｂ）に取り付けられた装飾部材２０１Ｌの遊技者による取り外しを防ぐことができる。
【０１２６】
また、集光部２１１の光出射面２２６が複数のねじ止め部２２９よりも前方に位置している。そのため、光出射面２２６から出射され光を複数のねじ止め部２２９によって遮ることは無い。したがって、透光部２１２（装飾部材２０１Ｌ）に対して照射される光量を確保することができる。また、複数のＬＥＤ８５（光源）から出射された光を集光部２１１によって集光するため、透光部２１２（装飾部材２０１Ｌ）に効率よく光を照射することができる。
【０１２７】
また、本実施形態では、集光部２１１に突出片２２２を設けることにより、光出射面２２６から出射された光を透光部２１２に向けて反射させる反射面２２２ａを形成した。これにより、透光部２１２に向かう光量を増加させると共に、透光部２１２に向かう光と干渉しない位置にねじ止め部２２９を配置するスペースを確保することができる。その結果、透光部２１２（装飾部材２０１Ｌ）に対して照射される光量を確保することができると共に、集光部２１１の小型化を図ることができる。
【０１２８】
また、本実施形態では、透光台２３１、カラーシート２３２及びシートカバー２３３に、複数の係止突起２６８が貫通する複数の貫通溝２４８，２３８，２５８を設けた。これにより、透光台２３１は、複数のねじ止め部２２９に螺合されたねじと複数の係止突起２６８とによって集光部２１１に固定される。
【０１２９】
その結果、パチスロ１を運搬する際などにパチスロ１が振動しても、透光台２３１に生じるガタツキを抑制することができる。その結果、透光台２３１の破損を防止或いは抑制することができる。また、カラーシート２３２及びシートカバー２３３の貫通溝２３８，２５８を複数の係止突起２６８が貫通することにより、透光台２３１と外装部２１３との間に介在されるカラーシート２３２及びシートカバー２３３の位置決めを行うことができる。
【０１３０】
＜変形例＞
以上、本発明の一実施形態に係る遊技機について、その作用効果も含めて説明した。しかし、本発明の遊技機は、上述の実施の形態に限定されるものではなく、特許請求の範囲に記載した本発明の要旨を逸脱しない限り、種々の変形実施が可能である。
【０１３１】
例えば、上述の実施の形態では、装飾部材２０１Ｌがカラーシート２３２及びシートカバー２３３を備える構成とした。しかし、本発明に係る装飾部材としては、カラーシート２３２及びシートカバー２３３を備えなくてもよい。
【０１３２】
また、上述の実施の形態では、装飾部材２０１Ｌが外装部２１３を備える構成とした。しかし、本発明に係る装飾部材としては、外装部２１３を備えない構成にすることもできる。
【０１３３】
この場合は、外装部２１３に設けた複数の係止突起２６８と同様の係止突起を透光台に設ける。これにより、集光部２１１の係合面２２５Ａ，２２５Ｂが左枠辺１０ｄの内面に係合され、透光台の複数の係止突起が左枠辺１０ｄの内面に係止されることになり、集光 
部２１１及び透光台からなる装飾部材が、左枠辺１０ｄに取り付けられる。
【０１３４】
このような構成の装飾部材をフロントパネル１０から取り外すには、複数のねじ止め部２２９からねじを取り外して、集光部２１１から透光部を外す必要がある。しかし、複数のねじ止め部２２９のねじ穴２２９ａがフロントドア２ｂの後方に向かって開口しているため、遊技者が複数のねじ止め部２２９に螺合されたねじを取り外すことは、困難である。その結果、フロントパネル１０（フロントドア２ｂ）に取り付けられた装飾部材の遊技者による取り外しを防ぐことができる。
【０１３５】
しかしながら、特開２０１０−７５４４０号公報に記載された遊技機では、スペーサが装飾部材やフロントドアに固定されていないため、装飾部材の取り外しを防止する対策としては不十分であった。
【０１３６】
なお、フロントドアに装飾部材をねじで締結することが考えられるが、フロントドアの裏側にねじ止め部を設ける場合は、装飾部材の輪郭よりも内側にねじ止め部を配置する必要がある。これにより、装飾部材に光を照射して発光させる場合に、装飾部材における光が照射される範囲が狭くなり、装飾部材の発光が弱くなってしまう。また、フロントドアの裏側にねじ止め部を配置するためのスペースを確保することが難しかった。
【０１３７】
本発明の目的は、フロントドアに取り付けられた装飾部材の取り外しを防ぐと共に、装飾部材に対して照射される光量を確保することができる遊技機を提供することにある。
【０１３８】
本発明によれば、フロントドアに取り付けられた装飾部材の取り外しを防ぐと共に、装飾部材に対して照射される光量を確保することができる。
【符号の説明】
【０１３９】
１…パチスロ、  ２…外装体、  ２ａ…キャビネット、  ２ｂ…フロントドア、  ３Ｌ…左リール、  ３Ｃ…中リール、  ３Ｒ…右リール、  ４…リール表示窓、  ９…ドア本体、  １０…フロントパネル、  １０ａ…パネル開口、  １０ｂ…上枠辺、  １０ｃ…下枠辺、  １０ｄ…左枠辺、  １０ｅ…右枠辺、  １１…液晶表示装置、  １１ａ…表示部、  １２…台座部、  １９Ｌ…左ストップボタン、  １９Ｃ…中ストップボタン、  １９Ｒ…右ストップボタン、  ８２，８５（光源）…ＬＥＤ、  ９１…主制御回路、  １０１…副制御回路、  １２０…開口部、  １３０…導光パネル、  ２０１Ｌ…装飾部材、  ２０１Ｒ…装飾部材、  ２１１…集光部、  ２１２…透光部、  ２１３…外装部、  ２２１…ベース片、  ２２２…突出片、  ２２２ａ…反射面、  ２２４…光入射部、  ２２５Ａ，２２５Ｂ…係合面（係合部）、  ２２６…光出射面、  ２２７Ａ，２２７Ｂ…遮光部、  ２２８，２３８，２４８，２５８…貫通溝、  ２２９…ねじ止め部、  ２２９ａ…ねじ穴、  ２３１…透光台、  ２３２…カラーシート、  ２３３…シートカバー、  ２６４…装飾曲面板、  ２６４ａ…開口、  ２６８…係止突起
【図１】
2019122805.tif 000003
【図２】
2019122805.tif 000004
【図３】
2019122805.tif 000005
【図４】
2019122805.tif 000006
【図５】
2019122805.tif 000007
【図６】
2019122805.tif 000008
【図７】
2019122805.tif 000009
【図８】
2019122805.tif 000010
【図９】
2019122805.tif 000011
【図１０】
2019122805.tif 000012
【図１１】
2019122805.tif 000013
【図１２】
2019122805.tif 000014
【図１３】
2019122805.tif 000015
【図１４】
2019122805.tif 000016
【図１５】
2019122805.tif 000017